(57)【特許請求の範囲】
【請求項１】
枠体内に障子を開閉可能に納めた建具において、
前記障子に納められたパネルと、  
前記パネルの屋内側で前記枠体の下枠に固定された開き調整器と、
見込み方向における前記パネルと前記開き調整器の間で前記障子の下框に固定されていて前記開き調整器に連結された補強部材と、
を備え、
前記補強部材は、前記下框の屋内側側壁に当接する起立部と、前記下框の水平面部に当接する平面部と、を有する第一補強部材を備え、
前記パネルと前記開き調整器の間に押縁が設置され、
前記補強部材は、前記押縁に設けられていて前記開き調整器に連結された前記第一補強部材と、前記下框に取り付けられていて前記第一補強部材に連結された第二補強部材とであることを特徴とする建具。
【請求項２】
枠体内に障子を開閉可能に納めた建具において、
前記障子に納められたパネルと、  
前記パネルの屋内側で前記枠体の下枠に固定された開き調整器と、
見込み方向における前記パネルと前記開き調整器の間で前記障子の下框に固定されていて前記開き調整器に連結された補強部材と、
を備え、
前記補強部材は、前記下框の屋内側側壁に当接する起立部と、前記下框の水平面部に当接する平面部と、を有する第一補強部材を備え、
前記下框は金属下框と樹脂下框の複合構造であり、
前記補強部材は前記金属下框と樹脂下框の間に設置され、前記補強部材は前記金属下框にねじ固定されていることを特徴とする建具。
【請求項３】
前記押縁の上面には前記第一補強部材を第二補強部材とねじ固定するための孔が形成され、該上面の孔は前記障子を開閉操作するための把手によって閉鎖されている請求項１に記載された建具。
【請求項４】
枠体内に障子を開閉可能に納めた建具において、
前記障子に納められたパネルと、  
前記パネルの屋内側で前記枠体の下枠に固定された開き調整器と、
見込み方向における前記パネルと前記開き調整器の間で前記障子の下框に固定されていて前記開き調整器に連結された補強部材と、
を備え、
前記パネルと前記開き調整器の間に押縁が設置され、
前記補強部材は、前記押縁に設けられていて前記開き調整器に連結された第一補強部材と、前記下框に取り付けられていて前記第一補強部材に連結された第二補強部材とであることを特徴とする建具。
【請求項５】
枠体内に障子を開閉可能に納めた建具において、
前記障子に納められたパネルと、  
前記パネルの屋内側で前記枠体の下枠に固定された開き調整器と、
見込み方向における前記パネルと前記開き調整器の間で前記障子の下框に固定されていて前記開き調整器に連結された補強部材と、
を備え、
前記下框は金属下框と樹脂下框の複合構造であり、
前記補強部材は前記金属下框と樹脂下框の間に設置され、前記補強部材は前記金属下框にねじ固定されていることを特徴とする建具。
【請求項６】
枠体内に障子を開閉可能に納めた建具において、
前記障子に納められたパネルと、  
前記パネルの屋内側で前記枠体の下枠に固定された開き調整器と、
見込み方向における前記パネルと前記開き調整器の間で前記障子の下框に固定されていて前記開き調整器に連結された補強部材と、
を備え、
前記パネルと前記開き調整器の間に押縁が設置され、
前記補強部材は、前記押縁に設けられていて前記開き調整器に連結された第一補強部材と、前記下框に取り付けられていて前記第一補強部材に連結された第二補強部材とであり、
前記下框は金属下框と樹脂下框の複合構造であり、
前記補強部材は前記金属下框と樹脂下框の間に設置され、前記補強部材は前記金属下框にねじ固定されていることを特徴とする建具。
【発明の詳細な説明】
【技術分野】
【０００１】
本発明は、枠体内に納めた開閉可能な障子に開き調整器を設けた建具に関する。
【背景技術】
【０００２】
従来、特許文献１に記載された建具の縦辷り出し窓では、四角形枠状に形成された枠体内に開閉可能な障子が納められている。障子の框体の内部にはガラスパネルが納められている。枠体の下枠はガラスパネルを保持する下框の屋外側に延びていて、その上部に障子の開放角度を規制する開き調整器が設置されている。この開き調整器は下枠に固定した支軸に回動可能な回動腕と回動腕から出没可能な出没アームとを備え、出没アームの他端に設けた障子固定部に障子の下框が連結されている。
【０００３】
そして、把手部で障子を開放操作すると、障子の開放作動に従って支軸を中心に回動腕が回動しながら出没アームが突出し、所定の開放角度に保持される。アルミ合金製の下框におけるガラスパネル下端部のパネル嵌合溝の下側に形成されたホロー部内に金属製の補強部材が設けられている。開き開放器における出没アームの先端から略Ｌ字状に延びる障子固定部は、この下框のホロー部内の補強部材にネジで固定されている。
障子の開放時に出没アームと回動腕を介して連結された開き調整器は開放方向に引っ張られるが、障子開放時の衝撃や荷重は下框内の補強部材で受けるようになっている。また、障子閉鎖時の衝撃や荷重も下框内の補強部材で受けている。しかも、開き調整器は下枠内に設置されて屋内側から隠れるように囲われている。
【先行技術文献】
【特許文献】
【０００４】
【特許文献１】特開２０１２−８７４５５号公報
【発明の概要】
【発明が解決しようとする課題】
【０００５】
しかしながら、上述した特許文献１の縦辷り出し窓の構造では、ガラスパネルの下部に設けた金属製の下框のホロー部内に開き調整器の補強部材を設置したため下框の上下方向の長さが増大していた。しかも、この下框の屋内側には開き調整器を固定した金属製の下枠が設置されているため、補強部材を収納した金属製の下框のホロー部を介して屋外の冷気が屋内側に伝達されるという欠点があった。
【０００６】
本発明は、このような課題に鑑みてなされたものであって、障子の開閉時の衝撃や荷重を開き調整器で受け止めると共に屋内外の断熱性を向上させるようにした建具を提供することを目的とする。
【課題を解決するための手段】
【０００７】
本発明による建具は、枠体内に障子を開閉可能に納めた建具において、障子に納められたパネルと、パネルの屋内側で下枠に固定された開き調整器と、見込み方向におけるパネルと開き調整器の間で障子の下框に固定されていて開き調整器に連結された補強部材と、を備え、前記補強部材は、前記下框の屋内側側壁に当接する起立部と、前記下框の水平面部に当接する平面部と、を有する第一補強部材を備え、前記パネルと前記開き調整器の間に押縁が設置され、前記補強部材は、前記押縁に設けられていて前記開き調整器に連結された前記第一補強部材と、前記下框に取り付けられていて前記第一補強部材に連結された第二補強部材とであることを特徴とする。
本発明によれば、開き調整器に連結する補強部材をパネルと開き調整器の間に設置したため、パネルの下側の下框の空間が小さくなり断熱性の高いパネルを下方に延ばすことができるので屋内側の断熱性を向上できる。しかも、下枠に固定された開き調整器を下框に固定された補強部材と連結したため、障子の開閉時の衝撃や荷重を補強部材を介して下框で受けることができる。
また、押縁を設置したパネルの端部を押圧固定した状態で、障子の開閉操作に伴う衝撃や荷重は押縁に設けた第一補強部材を介してその下の下框に設けた第二補強部材で受けることができる。そのため、パネルと開き調整器の間に押縁を設置しても障子の開閉に伴う衝撃や荷重は押縁で受けることがなく押縁の損傷を防止できる。
【０００８】
本発明による建具は、枠体内に障子を開閉可能に納めた建具において、前記障子に納められたパネルと、前記パネルの屋内側で前記枠体の下枠に固定された開き調整器と、見込み方向における前記パネルと前記開き調整器の間で前記障子の下框に固定されていて前記開き調整器に連結された補強部材と、を備え、前記補強部材は、前記下框の屋内側側壁に当接する起立部と、前記下框の水平面部に当接する平面部と、を有する第一補強部材を備え、前記下框は金属下框と樹脂下框の複合構造であり、前記補強部材は前記金属下框と樹脂下框の間に設置され、前記補強部材は前記金属下框にねじ固定されていることを特徴とする。
本発明によれば、開き調整器に連結する補強部材をパネルと開き調整器の間で金属下框と樹脂下框の間に設置し、下枠に固定された開き調整器を金属下框に固定された補強部材にねじ固定したため、障子の開閉時の衝撃や荷重を補強部材を介して下框で受けることができる。
【０００９】
また、押縁の上面には第一補強部材を第二補強部材とねじ固定するための孔が形成され、該上面の孔は障子を開閉操作するための把手によって閉鎖されていてもよい。
第一補強部材と第二補強部材を押縁の上面の孔を通してねじ固定した後で、この上面の孔を開閉操作のための把手で塞ぐことができる。
【発明の効果】
【００１２】
本発明による建具では、開き調整器の補強部材をパネルの屋内側に設置したため、障子の下框の上下方向長さが小さくなってパネルの開口面積を大きく設定できて断熱性を向上させると共に、障子の開閉時の衝撃や荷重を補強部材で受けることができる。しかも、補強部材をパネルと開き調整器の間に設置したため見込み方向の剛性が向上する。
【図面の簡単な説明】
【００１３】
【図１】本発明の実施形態による縦辷り出し窓の要部縦断面図である。
【図２】図１に示す縦辷り出し窓の要部水平断面図である。
【図３】図１における下框と開き調整器部分の要部拡大図である。
【図４】開き調整器を示すものであり、（ａ）は平面図、（ｂ）は側面図、（ｃ）は正面図である。
【図５】第二実施形態による下框と開き調整器部分の要部拡大断面図である。
【発明を実施するための形態】
【００１４】
以下、本発明の実施形態による建具の一例として縦辷り出し窓について添付図面により説明する。
図１及び図２に示す実施形態による縦辷り出し窓１は例えばアルミ合金等の金属部材と樹脂部材の複合建具からなっている。この縦辷り出し窓１は、躯体の開口部にそれぞれアルミ合金及び樹脂からなる上枠３と下枠４と左右の縦枠５、６とが四角形枠状に形成された枠体７を取り付けている。
枠体７内に開閉可能に納めた障子９は、それぞれアルミ合金と樹脂からなる上框１０及び下框１１と左右の縦框１２，１３とが略四角形枠状に形成された框体１４を有している。框体１４の内部にはパネルとして例えば二層ガラス等の複層ガラスからなるガラスパネル１５を納めている。障子９の吊元は枠体７の見付け方向の一端部である縦枠６近傍に設けられ、その軸線は上下方向に延びて上枠３と下枠４に支持されている。
【００１５】
図１に示す縦辷り出し窓１の縦断面図において、枠体７の上枠３は屋外側に設けたアルミ合金からなる金属上枠３ａと屋内側に設けた樹脂上枠３ｂとが互いに係合されている。下枠４は屋外側に設けたアルミ合金からなる金属下枠４ａと屋内側に設けた樹脂下枠４ｂとが互いに係合されている。
また、図２に示す横断面図において、吊先側（図２において左側）に設けた縦枠５は屋外側に設けたアルミ合金からなる金属縦枠５ａと屋内側に設けた樹脂縦枠５ｂとが互いに係合されている。吊元側（図２において右側）に設けた縦枠６は屋外側に設けたアルミ合金からなる金属縦枠６ａと屋内側に設けた樹脂縦枠６ｂとが互いに係合されている。
【００１６】
枠体７に納められた障子９の框体１４はそれぞれ屋外側に設けたアルミ合金からなる金属上框１７と金属下框１８と左右の金属縦框１９，２０とで四角形枠状に形成されている。図１に示す金属上框１７と金属下框１８にはガラスパネル１５の上端部と下端部を嵌合するための断面略Ｌ字状のパネル嵌合溝１７ａ、１８ａが形成され、それぞれゴム等のシール材からなるパッキン２２によってガラスパネル１５の上端部と下端部の両面を保持している。
金属上框１７と金属下框１８に形成したパネル嵌合溝１７ａ、１８ａの屋内側にはパッキン２２を介してガラスパネル１５の屋内側の側面を押圧保持するための上部押縁２４、下部押縁２５がそれぞれ取り付けられている。なお、金属下框１８のパネル嵌合溝１８ａの下部には中空のホロー部１８ｂが形成されている。
【００１７】
上部押縁２４は係合部ａ，ｂで互いに係合する金属押縁片２４ａと樹脂押縁片２４ｂとが一体化されている。金属押縁片２４ａはパッキン２２を介してガラスパネル１５を押圧し、パネル嵌合溝１７ａと共に断面略コの字状を形成してガラスパネル１５を保持する。しかも金属押縁片２４ａは係合部ｃ、ｄで金属上框１７に係合されている。係合部ａ，ｂ，ｃ，ｄはいずれか一方が爪部で他方が爪部と係合する係合受け部をそれぞれ構成する。
同様に下部押縁２５も金属押縁片２５ａと樹脂押縁片２５ｂが係合部ａ、ｂで互いに係合して一体化され、金属押縁片２５ａは係合部ｃ，ｄで金属下框１８と係合されている。また、パネル嵌合溝１８ａと金属押縁片２５ａのパネル側側壁２５ａａとで断面略コの字状とされてガラスパネル１５を保持する。
そのため、上框１０は金属上框１７と上部押縁２４で構成され、下框１１は金属下框１８と下部押縁２５で構成されている。
【００１８】
また、金属上枠３ａの屋内側端部には略Ｌ字状に屈曲して屋外側を向く部分に形成された受け部に気密性を確保するシール部材２６ａが取り付けられている。同様に、金属下枠４ａの屋内側端部は略Ｌ字状に屈曲して屋外側を向く部分に形成された受け部にシール部材２６ｂが取り付けられている。閉鎖状態にある障子９の金属上框１７と金属下框１８の屋内側端部がシール部材２６ａ、２６ｂに当接して気密にシールする。
【００１９】
図２において、左側の金属縦框１９にはガラスパネル１５の左側端部を受けるための断面略コの字状のパネル嵌合溝１９ａが形成され、ゴム等のシール材からなるパッキン２２を介してガラスパネル１５の左側端部の両面を保持している。
右側の金属縦框２０にはガラスパネル１５の右側端部を嵌合するための断面略Ｌ字状のパネル嵌合溝２０ａが形成され、ゴム等のシール材からなるパッキン２２によってガラスパネル１５の右側端部の両面を保持している。
そして、右側の金属縦框２０に形成した断面略Ｌ字状のパネル嵌合溝２０ａの屋内側にはパッキン２２を介してガラスパネル１５を押圧保持するための縦部押縁２８が取り付けられている。
【００２０】
この縦部押縁２８も金属押縁片２８ａと樹脂押縁片２８ｂが係合部ａ，ｂで互いに係合して一体化され、係合部ｃ，ｄで金属押縁片２８ａと金属縦框２０が係合されている。金属押縁片２８ａとパネル嵌合溝２０ａとで断面略コの字状とされてガラスパネル１５を保持する。そのため、右側の縦框１３は金属縦框２０と縦部押縁２８で構成されている。
また、金属縦枠６ａの屋内側端部には略Ｌ字状に屈曲する屋外側を向く部分に形成された受け部にシール部材２６ｃが取り付けられている。閉鎖状態にある障子９の金属縦框２０の屋内側端部がシール部材２６ｃに当接して気密にシールする。
【００２１】
図２で、左側の金属縦框１９に形成した断面略コの字状のパネル嵌合溝１９ａの屋内側にはホロー部を有する金属縦框１９が平面視略Ｌ字状に屈曲して延びてハンドル受け部１９ｂが形成されている。このハンドル受け部１９ｂの見込み面１９ｂａにはグレモン錠のハンドル３０が取り付けられている。ハンドル受け部１９ｂには見込み面１９ｂａを除いて屋内側見付け面を覆う樹脂縦框２７が係合されている。そのため、左側の縦框１２は金属縦框１９と樹脂縦框２７で構成されている。
また、吊先側の金属縦枠５ａの屋内側端部には略Ｌ字状に屈曲して屋外側を向く部分に形成された受け部に気密性を確保するシール部材２６ｄが取り付けられている。閉鎖状態にある障子９の金属縦框１９の屋内側端部がシール部材２６ｄに当接して気密にシールする。
【００２２】
本実施形態による縦辷り出し窓１では、障子９の吊先側の縦框１２には、金属縦框１９の見込み面１９ｂａにハンドル３０を設けたため押縁は設けられていない。ハンドル３０を吊先側の縦框１２の見込み面１９ｂａに設けたことで、縦框１２の見付け方向の幅を小さくできる。
その一方で、障子９の框体１４における上框１０と下框１１と吊元側の縦框１３には金属上框１７、金属下框１８、吊元側の金属縦框２０にそれぞれ屋内側から内押縁として上部押縁２４、下部押縁２５、縦部押縁２８が設置されていることで、各パネル嵌合溝１７ａ，１８ａ、２０ａとの間でガラスパネル１５を屋内側から押圧して固定している。この場合も、ハンドル３０を設けない上框１０、下框１１、吊元側の縦框１３の３方にそれぞれ上部押縁２４、下部押縁２５、縦部押縁２８を固定したことで、上框１０、下框１１、吊元側の縦框１３の見付け方向の幅を小幅してもガラスパネル１５の高い保持強度を得られる。
【００２３】
また、障子９の金属上框１７の外側上端部に設けた受け部に上枠３に当接して気密にシールするシール部材２９ａが設けられている。左右の金属縦框１９，２０の外側端部に設けた受け部にも左右の縦枠５，６にそれぞれ当接して気密にシールするシール部材２９ｂ、２９ｃが設けられている。
また、図２において、金属上枠３ａと金属上框１７の間には障子９の開放範囲を規制するフリクションアーム３１が連結され、金属下枠４ａと金属下框１８の間にも障子９の開放範囲を規制するフリクションアーム３２が連結されている。
【００２４】
図１において、下部押縁２５の屋内側には下枠４の金属下枠４ａが略Ｌ字状に屈曲して上側に延びており、その上面４ａａには開き調整器３３が設置されてねじ３４ａで補強板３５を介して固定されている。開き調整器３３は障子９を開放させる際に例えば４５度以上９０度程度の所定角度に開いてそれ以上の角度に開かないように開き角度を規制するものである。
図３の拡大断面図で示すように、下部押縁２５内には上側の樹脂押縁片２５ｂから下側の金属押縁片２５ａにかけて断面略Ｌ字状の第一補強部材３８が設置されている。第一補強部材３８は例えばスチールやアルミ合金等の金属部材からなり、樹脂押縁片２５ｂの屋内側側壁に当接する起立部３８ａと金属押縁片２５ａの下面に当接する平面部３８ｂとを有している。
開き調整器３３に設けた断面略Ｌ字状の固定部材３６は、下部押縁２５の樹脂押縁片２５ｂの屋内側側壁２５ｂａの孔を通して第一補強部材３８の起立部３８ａにねじ３４ｂで固定されている。
【００２５】
第一補強部材３８の平面部３８ｂは金属押縁片２５ａの下面側に載置されている。金属押縁片２５ａの下面２５ａｂと金属下框１８の略Ｕ字状部１８ｃとで仕切る中空のホロー部４０内には例えばスチールやアルミ合金等の第二補強部材４１が収納されている。そして、第一補強部材３８の平面部３８ｂから金属押縁片２５ａの下面２５ａｂに形成した孔を通して第二補強部材４１にねじ３４ｃがねじ込まれて、第一補強部材３８と第二補強部材４１が金属押縁片２５ａを介して連結固定されている。
なお、第二補強部材４１はホロー部４０の形状に応じて例えば３枚の補強板で構成され、上側からねじ３４ｃ固定されていると共に、下側から金属下框１８の略Ｕ字状部１８ｃ側を通してねじ３４ｄで固定されている。しかし、第二補強部材４１は一枚の補強部材で形成されていてもよい。なお、第一補強部材３８と第二補強部材４１とは補強部材３７を構成する。
【００２６】
そして、障子９を開放位置まで開放した際に停止時に生じる荷重と衝撃を第一補強部材３８を介して第二補強部材４１で受けることができる。しかも、第一補強部材３８と第二補強部材４１をガラスパネル１５の屋内側に設置した下部押縁２５と金属下框１８のホロー部４０とで受けるため、断熱性の高いガラスパネル１５の面積を下方に大きくしてパネル嵌合溝１８ａの下側のホロー部１８ｂを小さくすることができる。そのため、従来よりも断熱性を向上できる。
【００２７】
次に図４は金属下枠４ａの上面４ａａに固定された開き調整器３３の一例を示すものである。開き調整器３３は金属下枠４ａの上面４ａａにねじ３４ａで固定された略凸部状の基板４２の上部に回動腕４３の一端を支持する支持軸４４を取り付けている。回動腕４３内には進退可能な出没アーム４５が設けられ、出没アーム４５の他端は下部押縁２５内の第一補強部材３８とねじ３４ｂで固定される固定部材３６に連結されている。
回動腕４３の上面には回動腕４３の回転操作によって障子９を開閉作動させる操作部４６が設けられている。回動腕４３において出没アーム４５の下方にはバネ４７の付勢力によってピン４８を出没アーム４５の孔部４５ａ内に嵌合させて障子９を開放位置で停止させるロック部５０が設けられている。回動腕４３の上面にはロック部５０のピン４８を押してロックを解除する解除ボタン５１が取り付けられている。
【００２８】
本実施形態による縦辷り出し窓１は上述の構成を備えており、次にその作用を説明する。
本実施形態による縦辷り出し窓１は、図１乃至図３に示す閉鎖状態で開き調整器３３の出没アーム４５はほとんどが回動腕４３内に納められている。そして、ハンドル３０を操作してロックピンを外し、開き調整器３３の操作部４６を操作することで障子９を開放作動する。障子９の開放動作に従って回動腕４３から出没アーム４５が引き出されて障子９が辷り出し状に開いていく。その際、開き調整器３３は開放方向に引っ張られる。
【００２９】
そして、障子９が開放位置(例えば４５度)に至ると出没アーム４５の孔部４５ａ内にロック部５０のピン４８がバネ４７の付勢力で突出して停止する。その際の衝撃や荷重は固定部材３６に固定された下部押縁２５内の第一補強部材３８を介してその下側の金属下框１８のホロー部４０内の第二補強部材４１で受ける。
第一補強部材３８を固定した下部押縁２５は強度の小さい樹脂押縁片２５ｂを含むと共に、金属押縁片２５ａのパネル側側壁２５ａａがパネル嵌合溝１８ａと共にガラスパネル１５を保持するため、障子９の開閉時の衝撃や荷重を分担させることはできない。本実施形態では下部押縁２５内に設けた第一補強部材３８をその下側の金属下框１８のホロー部４０内に設けた第二補強部材４１にねじ３４ｃで固定したため、障子９の開放停止時の荷重を下部押縁２５を介して下框１１の第二補強部材４１で受けることができる。そのため、下部押縁２５に荷重がかかって損傷したりパネル嵌合溝１８ａのパネル側側壁２５ａａに影響を与えたりすることを防止できる。
【００３０】
そして、障子９を開放状態から閉鎖作動させる場合には、障子９の框体１４が枠体７に当接することで停止する。その際、障子９の下框１１にかかる衝撃や荷重も下部押縁２５内の第一補強部材３８を介して金属下框１８のホロー部４０内の第二補強部材４１で受け止めることができる。
【００３１】
上述のように本実施形態による縦辷り出し窓１によれば、従来、ガラスパネル１５の下側のホロー部１８ｂ内に設けた開き調整器３３の補強部材に代えて、ガラスパネル１５の屋内側に下部押縁２５内の第一補強部材３８とその下側の金属下框１８のホロー部４０内の第二補強部材４１とを設けたため、ガラスパネル１５の下部を下框１１の下方側に延ばすことができてガラスパネル１５による断熱性を向上させることができる。
しかも、下部押縁２５には屋内側側壁２５ｂａを有する樹脂押縁片２５ｂを設けたため一層断熱性を向上できる。
【００３２】
また、開き調整器３３の固定部材３６に連結した第一補強部材３８を下部押縁２５内に設け、第一補強部材３８をその下側の金属下框１８内の第二補強部材４１に連結したため、障子９の開閉時に係る衝撃や荷重は第一補強部材３８を介して第二補強部材４１で受けることができる。そのため、パネル嵌合溝１８ａと共にガラスパネル１５を保持する金属押縁片２５ａのパネル側側壁２５ａａや下部押縁２５に衝撃や荷重がかからずガラスパネル１５の保持部に悪影響を与えない。
更に、ガラスパネル１５の屋内側に下部押縁２５と開き調整器３３を支える金属下枠４ａの延長部を設けたため、見込み方向の幅が増大して剛性が向上する。
【００３３】
なお、本発明による縦辷り出し窓１は、上述した実施形態に限定されるものではなく、本発明の要旨を逸脱しない範囲で適宜の変更や置換等が可能である。以下に、本発明の他の実施形態や変形例等について説明するが、上述した実施形態で説明した部品や部材等と同一または同様なものについては同一の符号を用いて説明を省略する。
【００３４】
次に本発明の第二実施形態による縦辷り出し窓１Ａについて図５により説明する。本第二実施形態において、枠体７がアルミ合金等の金属部材からなり、障子９の框体１４もアルミ合金等の金属部材で構成されている。更に、第一実施形態との相違点として、金属押縁片２５ａと樹脂押縁片２５ｂからなる下部押縁２５に代えて、金属製の金属下部押縁６０を設置している。
【００３５】
相違点について説明すると、本第二実施形態における金属下部押縁６０は例えば略四角形枠状の断面形状を有している。この金属下部押縁６０内の二面には断面略Ｌ字状の第一補強部材３８が設置され、その屋内側側壁６０ａに形成した孔を通してねじ３４ｂで固定部材３６と第一補強部材３８の起立部３８ａが固定されている。
また、金属下部押縁６０の下面６０ｂとその下側に設けた金属下框１８の断面略Ｕ字状部１８ｃとで形成するホロー部４０内に第二補強部材４１が設置されている。
【００３６】
そして、第一補強部材３８の平面部３８ｂと第二補強部材４１とを下面６０ｂの孔を通してねじ３４ｃで互いに固定している。第二補強部材４１はホロー部４０の下面を通してねじ３４ｄによっても固定されている。また、金属下部押縁６０の上面にはねじ３４ｃをドライバー等で締め込むための穴部６０ｅが形成されている。この穴部６０ｅを通してねじ３４ｃを締め込んだ後、障子９の開閉用の把手６１を取り付けて穴部６０ｅを塞ぐようにした。
本第二実施形態においても第一実施形態と同様な作用効果を奏する。
【００３７】
なお、上述した第一実施形態や第二実施形態による縦辷り出し窓１，１Ａに代えて、障子９の上框１０、下框１１、ハンドル３０を設置しない側の縦框１３の少なくとも下框１１を屋内側から見て枠体７内に隠れる隠し框構造に形成してもよい。なお、隠し框構造では押縁は設置しない。
この場合も、下框１１の上下方向の幅を小さくしてガラスパネル１５を下方に延ばすため、金属下框３８の上面に設置した第一補強部材３８と金属下框１８内の第二補強部材４１とを設けて障子９の開閉時の荷重を第一補強部材３８を介して第二補強部材４１で受け止める。これにより、障子９の框体１４と開き調整器３３を補強することができる。
【００３８】
また、上述した第一及び第二実施形態においても補強部材３７の設置に際して必ずしも下部押縁２５，６０等の各押縁を設置しなくてもよい。
パネル嵌合溝１８ａと共にガラスパネル１５を保持する金属押縁片２５ａのパネル側側壁２５ａａと、その屋内側に設置した第一補強部材３８及び第二補強部材４１に相当する補強部材があればよい。この場合、例えば、下框１１が金属下框１８と樹脂下框の複合構造であり、補強部材３７が金属下框１８と樹脂下框の間の空間に設置され、金属下框１８と補強部材３７をねじ固定していてもよい。
【００３９】
また、金属下框１８が断面略コの字状のパネル嵌合溝１８ａを有している場合には、パネル側側壁２５ａａは必要ない。この場合には開き調整器３３の荷重を受ける補強部材３７があればよい。そのため、本発明では見込み方向におけるガラスパネル１５とその屋内側に固定した開き調整器３３との間に固定部材３６に連結された第一補強部材３８及び第二補強部材４１を備えた補強部材３７が金属下框１８に固定されていればよい。この場合、第一補強部材３８と第二補強部材４１を一体に形成してなる補強部材３７を設置してもよい。
【００４０】
なお、本発明による縦辷り出し窓１、１Ａ等の建具はビル用に限らず一般住宅用の建具等にも採用できる。
また、本発明による建具として縦辷り出し窓１を例にとって説明したが、本発明はこれに限定されるものではなく、引き違い窓等各種の建具にも適用できる。
【符号の説明】
【００４１】
１  縦辷り出し窓
４  下枠
４ａ  金属下枠
７  枠体
９  障子
１１  下框
１２、１３  縦框
１５  ガラスパネル
１７ａ，１８ａ，１９ａ，２０ａ  パネル嵌合溝
１８  金属下框
１９、２０  金属縦框
２５  下部押縁
２５ａ  金属押縁片
２５ｂ  樹脂押縁片
３３  開き調整器
３６  固定部材
３７  補強部材
３８  第一補強部材
４１  第二補強部材  
６０  金属下部押縁
【図１】
0006797542.tif 000002
【図２】
0006797542.tif 000003
【図３】
0006797542.tif 000004
【図４】
0006797542.tif 000005
【図５】
0006797542.tif 000006